(57)【要約】【課題】読影オーダ情報を自動的に生成し、ユーザの作業負担を軽減させる。【解決手段】ＲＩＳは、電子カルテ端末から撮影オーダ情報を受信すると（ステップＳ１）、撮影オーダ情報を読影オーダ生成装置５０に送信する（ステップＳ２）。読影オーダ生成装置は、ＲＩＳから送信された撮影オーダ情報を取得し（ステップＳ４）、撮影オーダ情報から患者情報及び検査情報を取得する（ステップＳ５）。そして、読影オーダ生成装置は、患者情報及び検査情報に基づいて、当該患者情報及び検査情報に対応する医用画像の読影を依頼する読影オーダ情報を生成し（ステップＳ６）、読影オーダ情報を読影端末に送信する（ステップＳ７）。【選択図】図５
2009089720.tif 000002
【特許請求の範囲】
【請求項１】
外部機器と、読影オーダ生成装置と、読影端末とが通信ネットワークを介してデータ通信可能に接続された医用画像システムであって、
前記読影オーダ生成装置は、
前記外部機器から撮影オーダ情報を取得する取得手段と、
前記取得された撮影オーダ情報に基づいて、当該撮影オーダ情報に従って検査対象患者を撮影した医用画像の読影を依頼する読影オーダ情報を生成する読影オーダ情報生成手段と、
前記生成された読影オーダ情報を前記読影端末に送信する送信手段と、
を備える医用画像システム。
【請求項２】
前記撮影オーダ情報は、患者情報及び／又は検査情報を含む、
請求項１に記載の医用画像システム。
【請求項３】
前記読影オーダ情報生成手段は、前記取得手段により取得された撮影オーダ情報に基づいて、前記読影オーダ情報の緊急度、読影医師又はワークアイテムを設定する、
請求項１又は２に記載の医用画像システム。
【請求項４】
外部機器から撮影オーダ情報を取得する取得手段と、
前記取得された撮影オーダ情報に基づいて、当該撮影オーダ情報に従って検査対象患者を撮影した医用画像の読影を依頼する読影オーダ情報を生成する読影オーダ情報生成手段と、
前記生成された読影オーダ情報を読影端末に送信する送信手段と、
を備える読影オーダ生成装置。
【請求項５】
前記撮影オーダ情報は、患者情報及び／又は検査情報を含む、
請求項４に記載の読影オーダ生成装置。
【請求項６】
前記読影オーダ情報生成手段は、前記取得手段により取得された撮影オーダ情報に基づいて、前記読影オーダ情報の緊急度、読影医師又はワークアイテムを設定する、
請求項４又は５に記載の読影オーダ生成装置。
【請求項７】
コンピュータを、
外部機器から撮影オーダ情報を取得する取得手段、
前記取得された撮影オーダ情報に基づいて、当該撮影オーダ情報に従って検査対象患者を撮影した医用画像の読影を依頼する読影オーダ情報を生成する読影オーダ情報生成手段、
前記生成された読影オーダ情報を読影端末に送信する送信手段、
として機能させるためのプログラム。
【発明の詳細な説明】
【技術分野】
【０００１】
本発明は、医用画像システム、読影オーダ生成装置及びプログラムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の画像生成装置（モダリティ）により撮影され、デジタル化された医用画像は、患者情報や検査情報等とともにＰＡＣＳ（Picture Archiving and Communication System）に保存され、管理されている。これに伴い、フィルムに出力された画像からモニタに表示された画像へと、医師による画像診断の対象が移行してきている。
【０００３】
ところで、撮影装置の種類も増え、より高解像度の画像が得られる等、技術の進歩により、医師の診断においても、より高度な専門性が要求されてきている。また、撮影される画像量が多くなってきているため、臨床医が患者と対面しながら画像診断をすることは困難である。そのため、大規模な病院では、読影専門の医師（読影医）が画像を診断し、読影レポート（報告書）を作成し、その結果に基づいて、臨床医が病名診断を行う場合が多い。
【０００４】
読影医が読影レポートを作成するための装置において、例えば、読影対象画像のリストを表示する際に、読影レポート作成の進捗状況（未読影、読影中、既読影）や、検査が確定診断待ちの状態にあるか否かを表示するものが提案されている（特許文献１参照）。
【特許文献１】特開２００７−９４５１５号公報
【発明の開示】
【発明が解決しようとする課題】
【０００５】
しかし、臨床医が読影医に対して読影を依頼する際には、紙の伝票を渡すか、撮影時に電子カルテ端末やオーダリングシステムを通じて、読影レポートを作成するための読影端末に読影オーダ情報を送る必要があった。紙の伝票を用いる場合には、臨床医が電子カルテ端末等で読影依頼内容を記載した伝票を作成し、読影医が読影端末において伝票に記載されている患者情報や検査情報を入力しなければならなかった。一方、電子カルテ端末等から読影端末に読影オーダ情報を送る場合には、臨床医が読影対象の検査毎に読影依頼内容を入力して読影オーダ情報を生成しなければならなかった。いずれにしても、読影依頼を行う際にはユーザによる操作が必要であり、煩雑な作業となっていた。
【０００６】
本発明は上記の従来技術における問題に鑑みてなされたものであって、読影オーダ情報を自動的に生成し、ユーザの作業負担を軽減させることを課題とする。
【課題を解決するための手段】
【０００７】
上記課題を解決するために、請求項１に記載の発明は、外部機器と、読影オーダ生成装置と、読影端末とが通信ネットワークを介してデータ通信可能に接続された医用画像システムであって、前記読影オーダ生成装置は、前記外部機器から撮影オーダ情報を取得する取得手段と、前記取得された撮影オーダ情報に基づいて、当該撮影オーダ情報に従って検査対象患者を撮影した医用画像の読影を依頼する読影オーダ情報を生成する読影オーダ情報生成手段と、前記生成された読影オーダ情報を前記読影端末に送信する送信手段と、を備える。
【０００８】
請求項２に記載の発明は、請求項１に記載の医用画像システムにおいて、前記撮影オーダ情報は、患者情報及び／又は検査情報を含む。
【０００９】
請求項３に記載の発明は、請求項１又は２に記載の医用画像システムにおいて、前記読影オーダ情報生成手段は、前記取得手段により取得された撮影オーダ情報に基づいて、前記読影オーダ情報の緊急度、読影医師又はワークアイテムを設定する。
【００１０】
請求項４に記載の読影オーダ生成装置は、外部機器から撮影オーダ情報を取得する取得手段と、前記取得された撮影オーダ情報に基づいて、当該撮影オーダ情報に従って検査対象患者を撮影した医用画像の読影を依頼する読影オーダ情報を生成する読影オーダ情報生成手段と、前記生成された読影オーダ情報を読影端末に送信する送信手段と、を備える。
【００１１】
請求項５に記載の発明は、請求項４に記載の読影オーダ生成装置において、前記撮影オーダ情報は、患者情報及び／又は検査情報を含む。
【００１２】
請求項６に記載の発明は、請求項４又は５に記載の読影オーダ生成装置において、前記読影オーダ情報生成手段は、前記取得手段により取得された撮影オーダ情報に基づいて、前記読影オーダ情報の緊急度、読影医師又はワークアイテムを設定する。
【００１３】
請求項７に記載の発明は、コンピュータを、外部機器から撮影オーダ情報を取得する取得手段、前記取得された撮影オーダ情報に基づいて、当該撮影オーダ情報に従って検査対象患者を撮影した医用画像の読影を依頼する読影オーダ情報を生成する読影オーダ情報生成手段、前記生成された読影オーダ情報を読影端末に送信する送信手段、として機能させるためのプログラムである。
【発明の効果】
【００１４】
請求項１、４、７に記載の発明によれば、撮影オーダ情報に基づいて読影オーダ情報を自動的に生成するので、ユーザの作業負担を軽減させることができる。
【００１５】
請求項２、５に記載の発明によれば、患者情報及び／又は検査情報に基づいて読影オーダ情報を自動的に生成するので、ユーザの作業負担を軽減させることができる。
【００１６】
請求項３、６に記載の発明によれば、緊急度、読影医師又はワークアイテムを設定することにより、より詳細な読影オーダ情報を生成することができる。
【発明を実施するための最良の形態】
【００１７】
以下、図面を参照して、本発明に係る医用画像システムの一実施の形態について説明する。
図１に、医用画像システム１００のシステム構成を示す。図１に示すように、医用画像システム１００は、電子カルテ端末１０と、ＲＩＳ（Radiological Information System：放射線情報システム）２０と、モダリティ３０と、画像サーバ４０と、読影オーダ生成装置５０と、読影端末６０とがＬＡＮ（Local Area Network）等の通信ネットワークＮを介して接続され、それぞれがデータ通信可能に構成されている。
【００１８】
電子カルテ端末１０は、電子カルテを作成する電子カルテ機能を有し、患者の病状や診断結果等を保存する。電子カルテ端末１０は、臨床医の指示入力に基づいて、患者の撮影を依頼するための撮影オーダ情報を生成し、ＲＩＳ２０に送信する。撮影オーダ情報は、患者情報や検査情報等を含む。患者情報とは、検査対象患者の患者ＩＤ、患者名、生年月日、性別等の患者に関する情報をいう。検査情報とは、検査日、検査時刻、受付番号（検査毎に対応付けられた番号）、モダリティ、検査部位、手技、撮影方向、体位、撮影条件、依頼科、依頼医師、検査記述（検査理由等）等の検査に関する情報をいう。
【００１９】
ＲＩＳ２０は、放射線科部門内における診療予約、診断結果のレポート、実績管理、材料在庫管理等の情報管理を行う。ＲＩＳ２０は、電子カルテ端末１０から受信した撮影オーダ情報をモダリティ３０、画像サーバ４０及び読影オーダ生成装置５０に送信する。
【００２０】
図２に、ＲＩＳ２０の機能的構成を示す。図２に示すように、ＲＩＳ２０は、制御部２１、操作部２２、表示部２３、通信部２４、ＲＯＭ（Read Only Memory）２５、記憶部２６を備えて構成され、各部はバス２７により接続されている。
【００２１】
制御部２１は、ＣＰＵ（Central Processing Unit）、ＲＡＭ（Random Access Memory）等から構成され、ＲＩＳ２０の各部の処理動作を統括的に制御する。具体的には、ＣＰＵは、操作部２２から入力される操作信号又は通信部２４により受信される指示信号に応じて、ＲＯＭ２５に記憶されている各種処理プログラムを読み出し、ＲＡＭ内に形成されたワークエリアに展開し、当該プログラムとの協働により各種処理を行う。
【００２２】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００２３】
表示部２３は、ＬＣＤ（Liquid Crystal Display）により構成され、制御部２１から入力される表示データに基づいて各種画面を表示する。
【００２４】
通信部２４は、ＬＡＮアダプタ、ルータ、ＴＡ（Terminal Adapter）等を備え、通信ネットワークＮを介して接続された電子カルテ端末１０、モダリティ３０、画像サーバ４０、読影オーダ生成装置５０等の外部機器との間でデータの送受信を行う。
【００２５】
ＲＯＭ２５は、不揮発性の半導体メモリ等により構成され、制御プログラム、当該プログラムの実行に必要なパラメータやファイル等を記憶している。
【００２６】
記憶部２６は、ハードディスク等の記憶装置であり、撮影オーダ情報等のデータを記憶する。
【００２７】
モダリティ３０は、ＲＩＳ２０から受信した撮影オーダ情報に従って、検査対象患者を撮影し、医用画像の画像データ（以下、医用画像データという。）を生成する。また、モダリティ３０は、撮影オーダ情報に基づいて、医用画像データに関する付帯情報を生成する。そして、モダリティ３０は、医用画像データに付帯情報を付帯させて、ＤＩＣＯＭ規格に則ったＤＩＣＯＭ画像データを生成し、画像サーバ４０に送信する。付帯情報は、患者情報、検査情報、シリーズ情報等を含む。シリーズ情報は、一つの検査の中で生成されるモダリティ３０毎の一連の医用画像の単位（シリーズ）を示すシリーズＩＤやモダリティ３０の種別を含むデータである。モダリティ３０としては、ＣＲ装置、ＣＴ装置、ＭＲＩ装置、内視鏡装置、超音波診断装置等、様々な種類の医用画像を撮影するモダリティが適用可能である。
【００２８】
画像サーバ４０は、ＤＩＣＯＭ画像データを保存し、管理する。画像サーバ４０は、外部機器から送信される各種情報の取得要求に応じて、当該外部機器に各種情報を提供する。
【００２９】
図３に、画像サーバ４０の機能的構成を示す。図３に示すように、画像サーバ４０は、制御部４１、操作部４２、表示部４３、通信部４４、ＲＯＭ４５、記憶装置４６を備えて構成され、各部はバス４７により接続されている。
【００３０】
制御部４１は、ＣＰＵ、ＲＡＭ等から構成され、画像サーバ４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３１】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００３２】
表示部４３は、ＬＣＤにより構成され、制御部４１から入力される表示データに基づいて各種画面を表示する。
【００３３】
通信部４４は、ＬＡＮアダプタ、ルータ、ＴＡ等を備え、通信ネットワークＮを介して接続されたＲＩＳ２０、モダリティ３０、読影端末６０等の外部機器との間でデータの送受信を行う。
【００３４】
ＲＯＭ４５は、不揮発性の半導体メモリ等により構成され、制御プログラム、当該プログラムの実行に必要なパラメータやファイル等を記憶している。
【００３５】
記憶装置４６は、ハードディスク等から構成され、モダリティ３０により生成されたＤＩＣＯＭ画像データ等を記憶する。ＤＩＣＯＭ画像データには、医用画像データと、各医用画像データに対応する付帯情報（患者情報、検査情報、シリーズ情報等）とが含まれる。
【００３６】
制御部４１は、読影端末６０から送信されるＤＩＣＯＭ画像データの取得要求に応じて、通信部４４を制御して、ＤＩＣＯＭ画像データを読影端末６０に送信させる。
【００３７】
読影オーダ生成装置５０は、ＲＩＳ２０から送信される撮影オーダ情報を取得し、撮影オーダ情報に基づいて読影オーダ情報を生成する。
【００３８】
図４に、読影オーダ生成装置５０の機能的構成を示す。図４に示すように、読影オーダ生成装置５０は、制御部５１、操作部５２、表示部５３、通信部５４、ＲＯＭ５５、記憶部５６を備えて構成され、各部はバス５７により接続されている。
【００３９】
制御部５１は、ＣＰＵ、ＲＡＭ等から構成され、読影オーダ生成装置５０の各部の処理動作を統括的に制御する。具体的には、ＣＰＵは、操作部５２から入力される操作信号又は通信部５４により受信される指示信号に応じて、ＲＯＭ５５に記憶されている各種処理プログラムを読み出し、ＲＡＭ内に形成されたワークエリアに展開し、当該プログラムとの協働により各種処理を行う。
【００４０】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００４１】
表示部５３は、ＬＣＤにより構成され、制御部５１から入力される表示データに基づいて各種画面を表示する。
【００４２】
通信部５４は、ＬＡＮアダプタ、ルータ、ＴＡ等を備え、通信ネットワークＮを介して接続されたＲＩＳ２０、読影端末６０等の外部機器との間でデータの送受信を行う。
【００４３】
ＲＯＭ５５は、不揮発性の半導体メモリ等により構成され、制御プログラム、当該プログラムの実行に必要なパラメータやファイル等を記憶している。
【００４４】
記憶部５６は、ハードディスク等の記憶装置であり、緊急度設定テーブル５６１、読影医師設定テーブル５６２、ワークアイテム設定テーブル５６３等のデータを記憶する。
【００４５】
緊急度設定テーブル５６１は、撮影が行われたモダリティと緊急度とを対応付けるテーブルであり、各モダリティに対して「３時間以内」、「１日以内」、「３日以内」等の読影期限が緊急度として設定されている。例えば、救急外来で使用されるモダリティに対しては、「３時間以内」に読影を完了するように緊急度が設定される。
【００４６】
読影医師設定テーブル５６２は、撮影が行われたモダリティ、検査部位及び曜日と読影医師とを対応付けるテーブルであり、各モダリティ、検査部位及び曜日の組み合わせに対して読影医師が設定されている。例えば、モダリティや検査部位毎の専門分野に応じた医師や、各医師の勤務状況に応じた出勤予定の医師が設定される。
【００４７】
ワークアイテム設定テーブル５６３は、撮影が行われたモダリティ及び検査部位とワークアイテムとを対応付けるテーブルであり、各モダリティ及び検査部位の組み合わせに対してワークアイテムが設定されている。ワークアイテムとは、読影オーダの種類を示すもので、医用画像を診断して気付いたことを記述する「解釈」、二人の医師が個別に同一の医用画像を読影する「二重読影」等がある。例えば、ＰＥＴ（Positron Emission Tomography）検査の場合等、高度なスキルが必要とされる場合には「二重読影」が設定される。
【００４８】
制御部５１は、ＲＩＳ２０から送信される撮影オーダ情報を通信部５４を介して取得する。
【００４９】
また、制御部５１は、取得された撮影オーダ情報に基づいて、当該撮影オーダ情報に従って検査対象患者を撮影した医用画像の読影を依頼する読影オーダ情報を生成する。制御部５１は、読影オーダ情報を生成する際に、撮影オーダ情報に基づいて、読影オーダ情報の緊急度、読影医師及びワークアイテムを設定する。
【００５０】
また、制御部５１は、通信部５４を制御して、生成された読影オーダ情報を読影端末６０に送信させる。
【００５１】
読影端末６０は、医用画像を表示するモニタを有し、医師が医用画像の読影レポートを作成することを目的として設置されるＰＣ（Personal Computer）等の端末である。読影端末６０は、読影オーダ生成装置５０から受信した読影オーダ情報に従って、読影対象となるＤＩＣＯＭ画像データを画像サーバ４０から取得し、医用画像及び付帯情報をモニタに表示する。
【００５２】
次に、動作を説明する。
図５は、医用画像システム１００における処理を示すラダーチャートである。
【００５３】
まず、ＲＩＳ２０において、電子カルテ端末１０から撮影オーダ情報が受信されると（ステップＳ１）、撮影オーダ情報はモダリティ３０、画像サーバ４０及び読影オーダ生成装置５０にそれぞれ送信される（ステップＳ２）。図６（ａ）及び（ｂ）に、撮影オーダ情報の例を示す。図６（ａ）及び（ｂ）に示すように、撮影オーダ情報には、患者ＩＤ、患者名、生年月日、性別、アレルギー、感染症等の患者情報と、依頼科、依頼医師、受付番号、検査日、検査記述、モダリティ、検査部位、造影剤、臨床診断等の検査情報とが含まれる。
【００５４】
モダリティ３０では、撮影オーダ情報に基づいて検査対象患者が撮影され、医用画像データに付帯情報が付帯されてＤＩＣＯＭ画像データが生成される。そして、モダリティ３０から画像サーバ４０にＤＩＣＯＭ画像データが送信されると、画像サーバ４０では、通信部４４によりＤＩＣＯＭ画像データが受信され、制御部４１により、ＤＩＣＯＭ画像データが記憶装置４６に保存される（ステップＳ３）。
【００５５】
読影オーダ生成装置５０では、制御部５１により、ＲＩＳ２０から送信された撮影オーダ情報が通信部４４を介して取得され（ステップＳ４）、撮影オーダ情報から患者情報及び検査情報が取得される（ステップＳ５）。そして、制御部５１により、患者情報及び検査情報に基づいて、当該患者情報及び検査情報に対応する医用画像の読影オーダ情報生成処理が行われる（ステップＳ６）。
【００５６】
ここで、図７を参照して、読影オーダ情報生成処理を説明する。
まず、制御部５１により、読影オーダ情報のオーダ番号が採番され（ステップＴ１）、撮影オーダ情報から取得した患者情報及び検査情報の内容が読影オーダ情報として記述される（ステップＴ２）。
【００５７】
次に、制御部５１により、検査情報に含まれるモダリティに基づいて、緊急度設定テーブル５６１が参照され、撮影が行われたモダリティに対応する緊急度が設定される（ステップＴ３）。
【００５８】
次に、制御部５１により、検査情報に含まれるモダリティ、検査部位及び検査日に基づいて、読影医師設定テーブル５６２が参照され、撮影が行われたモダリティ、検査部位及び曜日に対応する読影医師が設定される（ステップＴ４）。
【００５９】
次に、制御部５１により、検査情報に含まれるモダリティ及び検査部位に基づいて、ワークアイテム設定テーブル５６３が参照され、撮影が行われたモダリティ及び検査部位に対応するワークアイテムが設定される（ステップＴ５）。
【００６０】
図８に、図６（ａ）に示す撮影オーダ情報に含まれる患者情報及び検査情報に基づいて生成された読影オーダ情報の例を示す。
【００６１】
読影オーダ生成装置５０では、読影オーダ情報生成処理の後、制御部５１の制御に従って、通信部５４により、読影オーダ情報が読影端末６０に送信される（ステップＳ７）。
【００６２】
読影端末６０では、読影オーダ生成装置５０から受信した読影オーダ情報に基づいて、読影すべき医用画像のワークリストがモニタに表示される（ステップＳ８）。ワークリストには、医用画像の識別情報とともに、緊急度、ワークアイテム等が表示される。読影医は、表示されているワークリストの中から読影対象画像を選択する。そして、読影端末６０により、選択された読影対象画像のＤＩＣＯＭ画像データを取得するための取得要求が画像サーバ４０に送信される（ステップＳ９）。
【００６３】
画像サーバ４０では、通信部４４により、読影端末６０からＤＩＣＯＭ画像データの取得要求が受信されると、制御部４１により、読影対象画像のＤＩＣＯＭ画像データが記憶装置４６から読み出され、通信部４４を介して読影端末６０に送信される（ステップＳ１０）。
【００６４】
読影端末６０では、画像サーバ４０からＤＩＣＯＭ画像データが取得され（ステップＳ１１）、モニタに医用画像が表示される（ステップＳ１２）。そして、読影医の操作入力により、読影レポートが作成される（ステップＳ１３）。
以上で、医用画像システム１００における処理が終了する。
【００６５】
以上説明したように、医用画像システム１００によれば、読影オーダ生成装置５０において、ＲＩＳ２０から送信される撮影オーダ情報を取得し、撮影オーダ情報に基づいて読影オーダ情報を自動的に生成するので、ユーザの作業負担を軽減させることができる。特に、撮影オーダ情報に含まれる患者情報及び検査情報を利用することにより、撮影オーダ情報を生成する電子カルテ端末１０が持つ情報や、造影剤等の撮影条件を参照することができ、精度の高い読影を行うことができる。また、読影を依頼する際に紙の伝票を用いないので、読影端末６０において患者情報や検査情報を読影医が入力する必要がなく、入力ミスを避けることができる。
【００６６】
また、読影オーダ生成装置５０において読影オーダ情報を生成する際に、緊急度、読影医師、ワークアイテムを設定することにより、より詳細な読影オーダ情報を生成することができる。
【００６７】
なお、上記実施の形態における記述は、本発明に係る医用画像システムの一例であり、これに限定されるものではない。システムを構成する各装置の細部構成及び細部動作に関しても適宜変更可能である。
【００６８】
例えば、上記実施の形態では、読影オーダ生成装置５０が独立した装置の場合について説明したが、読影オーダ情報を生成する機能がＲＩＳ２０、モダリティ３０、画像サーバ４０等においてソフトウェアで実現されることとしてもよい。また、上記実施の形態では、読影オーダ生成装置５０がＲＩＳ２０から撮影オーダ情報を取得する場合について説明したが、読影オーダ生成装置５０は、電子カルテ端末１０、モダリティ３０、画像サーバ４０から撮影オーダ情報を取得することとしてもよい。
【００６９】
また、撮影がキャンセルされた場合には読影対象画像が存在しないため、撮影オーダ情報が削除された場合には読影オーダ情報も削除されることが望ましい。
【図面の簡単な説明】
【００７０】
【図１】本発明の実施の形態における医用画像システムのシステム構成図である。
【図２】ＲＩＳの機能的構成を示すブロック図である。
【図３】画像サーバの機能的構成を示すブロック図である。
【図４】読影オーダ生成装置の機能的構成を示すブロック図である。
【図５】医用画像システムにおける処理を示すラダーチャートである。
【図６】撮影オーダ情報の例である。
【図７】読影オーダ情報生成処理を示すフローチャートである。
【図８】読影オーダ情報の例である。
【符号の説明】
【００７１】
１０  電子カルテ端末
２０  ＲＩＳ
２１  制御部
２２  操作部
２３  表示部
２４  通信部
２５  ＲＯＭ
２６  記憶部
２７  バス
３０  モダリティ
４０  画像サーバ
４１  制御部
４２  操作部
４３  表示部
４４  通信部
４５  ＲＯＭ
４６  記憶装置
４７  バス
５０  読影オーダ生成装置
５１  制御部
５２  操作部
５３  表示部
５４  通信部
５５  ＲＯＭ
５６  記憶部
５７  バス
６０  読影端末
１００  医用画像システム
Ｎ  通信ネットワーク
【図１】
2009089720.tif 000003
【図２】
2009089720.tif 000004
【図３】
2009089720.tif 000005
【図４】
2009089720.tif 000006
【図５】
2009089720.tif 000007
【図６】
2009089720.tif 000008
【図７】
2009089720.tif 000009
【図８】
2009089720.tif 000010